(57)【要約】【課題】通風路の圧力損失の増加を抑制すると共に、騒音を低減することの可能な空調装置を提供する。【解決手段】車両用の空調装置１は、空調ケース２およびレゾネータ板６を備える。空調ケース２は、空気が流れる通風路１０を有する。レゾネータ板６は、空調ケース２とは別部材で構成され、板厚方向に通じる複数の開口部６０を有し、空調ケース２の内壁と所定の隙をあけた状態で、空調ケース２の内壁に沿うように設けられる。【選択図】図２
2019156111.tif 000002
【特許請求の範囲】
【請求項１】
車両用の空調装置であって、
空気が流れる通風路を有する空調ケース（２）と、
前記空調ケースとは別部材で構成され、板厚方向に通じる複数の開口部（６０）を有し、前記空調ケースの内壁と所定の隙をあけた状態で、前記空調ケースの内壁に沿うように設けられるレゾネータ板（６）と、を備える空調装置。
【請求項２】
前記空調ケースの内壁が曲がる方向と、前記レゾネータ板の曲面が曲がる方向とは、揃っている、請求項１に記載の空調装置。
【請求項３】
前記空調装置は、
前記通風路に空気を送風する送風機（３）と、
前記通風路を流れる空気を冷却する熱交換器（４）と、を備え、
前記レゾネータ板（６ａ〜６ｄ）は、前記送風機と前記熱交換器との間を直線状に延びる前記通風路を形成する前記空調ケースの内壁に沿うように設けられる、請求項１または２に記載の空調装置。
【請求項４】
前記空調装置は、
前記通風路に空気を送風する送風機（３）と、
前記通風路を流れる空気を冷却する熱交換器（４）と、を備え、
前記レゾネータ板（６ｅ〜６ｇ）は、前記熱交換器より下流側の前記通風路を形成する前記空調ケースの内壁に沿うように設けられる、請求項１ないし３のいずれか１つに記載の空調装置。
【請求項５】
前記空調ケースと前記レゾネータ板とは、嵌合、接着、溶着またはボルト止めにより固定されている、請求項１ないし４のいずれか１つに記載の空調装置。
【請求項６】
前記レゾネータ板は、
前記空調ケースの内壁に対し所定の隙をあけた状態で設けられる第１レゾネータ板（６１）と、
前記第１レゾネータ板に対し前記空調ケースの内壁とは反対側で、前記第１レゾネータ板に対し所定の隙をあけた状態で設けられる第２レゾネータ板（６２）と、を含んで構成されている、請求項１ないし５のいずれか１つに記載の空調装置。
【発明の詳細な説明】
【技術分野】
【０００１】
本発明は、車両用の空調装置に関するものである。
【背景技術】
【０００２】
従来、車室内の空調を行う車両用空調装置が知られている。
特許文献１に記載の空調装置は、送風機から熱交換器へ空気が流れる通風路の周囲に、グラスウール製の吸音材によって囲われた空気室を形成している。また、その通風路の途中に、吸音材を貼り付けた仕切板を、通風路内に張り出すように設けている。
【０００３】
この空調装置は、送風機から出た音を空気室の一方の壁に反射させ、空気室の他方の壁を構成する吸音材に吸収させることで、送風機の騒音を低減している。また、この空調装置は、送風機から熱交換器に向かって進む音を、仕切板に貼り付けた吸音材に吸収させることで、送風機の騒音を低減している。
【先行技術文献】
【特許文献】
【０００４】
【特許文献１】特公平７−３３９２２号公報
【発明の概要】
【発明が解決しようとする課題】
【０００５】
しかしながら、特許文献１に記載の空調装置は、空気室を囲う吸音材に吸収させる音の周波数を広げるため、空気室の一方の壁と他方の壁との距離を変化させている。そのため、この空調装置は、空気室の容積が大きくなり、体格が大型化するといった問題がある。
【０００６】
また、この空調装置は、吸音材を貼り付けた仕切板が通風路内に張り出しているので、送風機から熱交換器までの通風路が蛇行する形状になっている。さらに、この空調装置は、送風機から出た音を吸収するためにグラスウール製の吸音材を使用しているので、通風路の断面積が小さくなっている。そのため、この空調装置は、通風路を流れる空気の圧力損失（以下、「通風路の圧力損失」という）が増加し、送風量が低減するという問題がある。
【０００７】
なお、特許文献１の空調装置において、空気室を形成する吸音材を保持する多孔板は、風圧などによる吸音材の変形を防止すると共に、通風路から空気室に音を通過させるためのものであり、騒音を低減する機能は備えていない。
【０００８】
本発明は上記点に鑑みて、通風路の圧力損失の増加を抑制すると共に、騒音を低減することの可能な空調装置を提供することを目的とする。
【課題を解決するための手段】
【０００９】
上記目的を達成するため、請求項１に係る発明は、
車両用の空調装置であって、
空気が流れる通風路を有する空調ケース（２）と、
空調ケースとは別部材で構成され、板厚方向に通じる複数の開口部（６０）を有し、空調ケースの内壁と所定の隙をあけた状態で、空調ケースの内壁に沿うように設けられるレゾネータ板（６）と、を備える。
【００１０】
これによれば、レゾネータ板の複数の開口部の内側の空気と、空調ケースの内壁とレゾネータ板との間の空気層とを共振させ、その開口部の内側の空気と開口部の内壁との摩擦により、騒音を低減することが可能である。そのため、この構成によれば、上述した特許文献１に記載されているようなグラスウール製の吸音材を必要としないので、通風路の流路面積の減少が極力抑えられ、通風路の圧力損失の増加が抑制される。したがって、この空調装置は、送風量を低下させることなく、騒音を低減することができる。
【００１１】
ところで、仮に空調ケースとレゾネータ板とを樹脂射出成形により一体に形成すると、金型などの制約により、レゾネータ板と空調ケースとの間の空気層の厚さを薄くすることは困難である。また、空調ケースの任意の位置にレゾネータ板を設けることも困難である。それに対し、請求項１に記載のレゾネータ板は、空調ケースとは別部材で構成されているので、レゾネータ板と空調ケースとの距離を近づけ、レゾネータ板と空調ケースとの間の空気層の厚さを薄くすることが可能である。また、空調ケース内の任意の位置にレゾネータ板を設けることも可能である。これにより、この空調装置は、通風路の圧力損失の増加を抑制すると共に、騒音の低減効果を高めることができる。
【００１２】
さらに、このレゾネータ板は、空調ケースとは別部材で構成されているので、レゾネータ板と空調ケースとの間の空気層の厚さや、レゾネータ板が有する複数の開口部の大きさを容易に変えることが可能である。そのため、この空調装置は、空調ケースの形状を変更することなく、レゾネータ板のみの形状変更により消音する音の周波数を変えることができる。したがって、この空調装置は、車両に応じて、騒音を確実に低減することができる。
【００１３】
なお、各構成要素等に付された括弧付きの参照符号は、その構成要素等と後述する実施形態に記載の具体的な構成要素等との対応関係の一例を示すものである。
【図面の簡単な説明】
【００１４】
【図１】第１実施形態に係る空調装置の正面図である。
【図２】図１のＩＩ―ＩＩ線の断面図である。
【図３】図１のＩＩＩ―ＩＩＩ線の断面図である。
【図４】レゾネータ板の一部を示す平面図である。
【図５】レゾネータ板と空調ケースとの固定方法の一例を示す図である。
【図６Ａ】レゾネータ板により騒音が低減される様子を説明するための説明図である。
【図６Ｂ】レゾネータ板により騒音が低減される様子を説明するための説明図である。
【図６Ｃ】レゾネータ板により騒音が低減される様子を説明するための説明図である。
【図７】第２実施形態の空調ケースと複数のレゾネータ板の一部を示す断面図である。
【発明を実施するための形態】
【００１５】
以下、本発明の実施形態について図面を参照しつつ説明する。なお、以下の各実施形態相互において、互いに同一もしくは均等である部分には、同一符号を付し、その説明を省略する。
【００１６】
（第１実施形態）
第１実施形態について図面を参照しつつ説明する。本実施形態の空調装置１は、車両のインストルメントパネルの内側に搭載される。この空調装置１は、車室内または車室外から取り入れた空気の温度および湿度を調整し、その空気を車室内に設けられた複数の吹出口から車室内に吹き出すことにより車室内の空気調和を行うものである。
【００１７】
まず、空調装置１の基本的構成を説明する。
【００１８】
図１〜図３に示すように、空調装置１は、空調ケース２、送風機３、熱交換器としてのエバポレータ４、ヒータコア５およびレゾネータ板６などを備えている。空調装置１は、は、送風機３などが設置される送風ユニット１１と、エバポレータ４およびヒータコア５などが設置される空調ユニット１２とを含んで構成されている。
【００１９】
空調ケース２は、空調装置１の外殻を構成している。空調ケース２は、ある程度の弾性を有し、強度的にも優れた樹脂（例えばポリプロピレン）により成形されている。空調ケース２の内側には、空気が流れる通風路１０が形成されている。また、空調ケース２は、複数の分割ケースを組み合わせて構成されたものである。複数の分割ケースは、複数の嵌合部材１３によって組み付けられている。
【００２０】
空調ケース２は、通風路１０の空気流れ方向の最上流側に、車室外空気（すなわち外気）を通風路１０に導入するための外気導入口１４と、車室内空気（すなわち内気）を通風路１０に導入するための図示しない内気導入口を有している。外気導入口１４または内気導入口から、通風路１０に空気が導入される。
【００２１】
なお、外気導入口１４と内気導入口の近傍には、図示しない内外気切替ドアが設けられている。内外気切替ドアは、外気導入口１４の開口面積と内気導入口の開口面積とを連続的に調整するためのものである。
【００２２】
空調ケース２の内側の通風路１０には、送風機３が設けられている。送風機３は、遠心ファン３１、および図示していない電動モータなどを有している。電動モータの駆動により遠心ファン３１が回転すると、外気導入口１４または内気導入口から通風路１０に外気または内気が導入され、通風路１０に空気が送風される。なお、送風機３が有するファンは、遠心ファン３１に限らず、例えば、軸流ファンまたはクロスフローファンとしてもよい。
【００２３】
エバポレータ４は、通風路１０を流れる空気を冷却するための熱交換器である。エバポレータ４は、図示していない圧縮機、凝縮器および膨張弁などと共に蒸気圧縮式の冷凍サイクルを構成している。エバポレータ４が有する図示していないチューブの内側を、気液二層状態となった冷媒が流れる。エバポレータ４は、そのチューブの内側を流れる冷媒の蒸発潜熱により、通風路１０を流れる空気を冷却する。
【００２４】
ヒータコア５は、エバポレータ４に対し、空気流れ方向の下流側に設けられている。ヒータコア５は、通風路１０を流れる空気を加熱するための熱交換器である。ヒータコア５が有する図示していないチューブの内側を温水（例えばエンジン冷却水）が流れる。ヒータコア５は、そのチューブの内側を流れる温水と、通風路１０を流れる空気との熱交換により、通風路１０を流れる空気を加熱する。なお、ヒータコア５と共にＰＣＴヒータなどを併設してもよい。
【００２５】
エバポレータ４とヒータコア５との間の通風路１０には、２枚のエアミックスドア１７が設けられている。エアミックスドア１７はスライド式のフィルムドアであり、ギア１８の回転により駆動される。エアミックスドア１７は、エバポレータ４を通過した後にヒータコア５を迂回する風量と、エバポレータ４を通過した後にヒータコア５を通過する風量との割合を調整する。
【００２６】
空調ケース２は、通風路１０の空気流れ方向の最下流側に、通風路１０から車室内に空調風を送風するための複数の吹出開口部１９、２０、２１を有している。複数の吹出開口部は、デフロスタ吹出開口部１９、フェイス吹出開口部２０およびフット吹出開口部２１などにより構成されている。
【００２７】
デフロスタ吹出開口部１９は、車両のフロントウィンドガラスに向けて空調風を吹き出すものである。フェイス吹出開口部２０は、前座席に着座した乗員の上半身に向けて空調風を吹き出すものである。フット吹出開口部２１は、車両の右前座席および左前座席に着座した乗員の下半身側に向けて空調風を吹き出すものである。
【００２８】
デフロスタ吹出開口部１９、フェイス吹出開口部２０およびフット吹出開口部２１には、それぞれの開口部を開閉するためのモード切替ドア２２、２３、２４が設けられている。モード切替ドアは、デフロスタドア２２、フェイスドア２３、およびフットドア２４により構成されている。デフロスタドア２２は、デフロスタ吹出開口部１９を開閉する。フェイスドア２３は、フェイス吹出開口部２０を開閉する。フットドア２４は、通風路１０とフット吹出開口部２１とを連通または遮断する。
【００２９】
以上、空調装置１の基本的構成を説明した。ところで、上述した空調装置１においては、送風機３から騒音が発生することがある。その騒音が空調ケース２内の通風路１０を通り、吹出開口部１９、２０、２１を経由して車室内に放出されると、乗員が不快に感じることが懸念される。
【００３０】
そこで、本実施形態の空調装置１は、送風機３から出る騒音が車室内に放出されることを抑制するため、空調ケース２の内側にレゾネータ板６を備えている。レゾネータ板６は、空調ケース２とは別部材で構成され、空調ケース２の内壁と所定の隙をあけた状態で、空調ケース２に固定されている。レゾネータ板６は、空調ケース２の内壁に沿うように設けられている。レゾネータ板６は、例えば樹脂などにより形成されている。
【００３１】
レゾネータ板６は、空調ケース２の任意の位置に取り付けることが可能である。すなわち、レゾネータ板６は、空調ケース２とは別部材で構成されていることから、空調ケース２を形成するための金型などの制約を受けることが殆どない。したがって、レゾネータ板６は、送風機３から出る騒音の低減効果の高い位置に配置できる。
【００３２】
例えば、図１および図２に示すように、レゾネータ板６ａ、６ｂ、６ｃ、６ｄは、送風機３とエバポレータ４との間を直線状に延びる通風路１０を形成する空調ケース２の内壁に沿うように設けることが可能である。このように比較的大きい面積を有する場所にレゾネータ板６ａ、６ｂ、６ｃ、６ｄを設けることで、レゾネータ板６の面積を大きいものとして、騒音低減効果を高めることができる。
【００３３】
また、例えば、図３に示すように、レゾネータ板６ｅ、６ｆ、６ｇは、エバポレータ４より下流側の通風路１０を形成する空調ケース２の内壁に沿うように設けることが可能である。レゾネータ板６ｅは、空調ケース２のうち重力方向下側の部位に設けられている。レゾネータ板６ｅ、６ｆは、エバポレータ４を通過した冷風がヒータコア５を迂回して流れる流路に設けられている。レゾネータ板６ｇは、デフロスタ吹出開口部１９に近い場所に設けられている。このように、レゾネータ板６ｅ、６ｆ、６ｇを空調ケース２内の任意の場所に設けることで、吹出開口部１９、２０、２１を経由して車室内に騒音が放出されることを効率的に防ぐことができる。
【００３４】
本実施形態のように、空調ケース２が、複数の分割ケースを組み合わせて構成されたものである場合、レゾネータ板６は、その分割ケース毎に分割されていてもよい。これにより、空調装置１の製造工程において、複数の分割ケース毎にレゾネータ板６を取り付けた後、その複数の分割ケースを組み合わせて空調ケース２を構成することが可能である。
【００３５】
また、レゾネータ板６は、空調ケース２の内壁が曲がっている場所に配置される場合、その空調ケース２の内壁が曲がる方向と、レゾネータ板６の曲面が曲がる方向とが揃うように形成される。これにより、レゾネータ板６は、空調ケース２の内壁から通風路１０内に大きく突出することなく、空調ケース２の内壁に沿うようにして設けられる。したがって、空調ケース２の内壁にレゾネータ板６が取り付けられる箇所の通風路１０の圧力損失の増加が抑制される。
【００３６】
図４に示すように、レゾネータ板６は、板厚方向に通じる複数の開口部６０を有している。レゾネータ板６の板厚Ｔ１や、レゾネータ板６が有する複数の開口部６０の大きさＤ１および開口率などは、レゾネータ板６により消音する音の周波数に応じて任意に調整することが可能である。具体的には、レゾネータ板６の板厚Ｔ１は、例えば数ｍｍ程度である。また、レゾネータ板６が有する開口部６０の大きさＤ１は、例えば内径が１ｍｍ程度である。
【００３７】
図５に示すように、レゾネータ板６は、空調ケース２の内壁と所定の隙をあけた状態で、空調ケース２の内側に固定されている。レゾネータ板６と空調ケース２の内壁との距離Ｓ１は、レゾネータ板６により消音する音の周波数により任意に調整することが可能である。レゾネータ板６は、空調ケース２とは別部材で構成されているので、レゾネータ板６と空調ケース２の内壁との距離Ｓ１を小さくすることが可能である。具体的には、レゾネータ板６と空調ケース２の内壁との距離Ｓ１は、数ｍｍ程度（例えば０より大きく、１５ｍｍ以下）である。
【００３８】
図５では、空調ケース２の内壁に設けた爪部１５に対し、レゾネータ板６の端部を嵌合することで、空調ケース２の内壁にレゾネータ板６を固定している。なお、空調ケース２とレゾネータ板６との固定方法は図５に示した方法に限らず、例えば、接着、溶着またはボルト止め等を採用することが可能である。
【００３９】
次に、レゾネータ板６により騒音が低減される原理について、図６Ａ〜図６Ｃを参照して説明する。
【００４０】
図６Ａに示すように、通風路１０内に騒音が発生すると、通風路１０内の空気の振動がレゾネータ板６の開口部６０の内径側の空気Ａ１（以下、「開口部空気Ａ１」と呼ぶ）に対し、外圧Ｐ１として作用する。そのため、開口部空気Ａ１は、その外圧Ｐ１により、空調ケース２の内壁とレゾネータ板６との間の空気層Ａ２に押し込まれる。すると、空気層Ａ２から開口部空気Ａ１に対し、通風路１０に向けて押し出そうとする力Ｐ２が作用する。そのため、開口部空気Ａ１は、空気層Ａ２から通風路１０に向けて押し出される。
【００４１】
次に、図６Ｂに示すように、開口部空気Ａ１は、慣性Ｉにより、レゾネータ板６の開口部６０の内側を通過して通風路１０に押し出される。すると、空気層Ａ２が負圧となり、開口部空気Ａ１を再び空気層Ａ２内に引き戻そうとする力Ｐ３が作用する。そのため、開口部空気Ａ１は、通風路１０から空気層Ａ２内に引き戻される。
【００４２】
その後、上述した現象が繰り返され、図６Ｃの破線ＦＨで示した部位で、レゾネータ板６の開口部６０の内壁と開口部空気Ａ１との摩擦熱が発生する。そのため、通風路１０内の空気の振動のエネルギーが、摩擦熱となって消失する。このようにして、レゾネータ板６は、送風機３で発生した騒音を低減することが可能である。
【００４３】
以上説明した本実施形態の空調装置１は、次の作用効果を奏するものである。
（１）本実施形態では、レゾネータ板６が有する複数の開口部空気Ａ１と、空気層Ａ２とを共振させ、開口部６０の内壁と開口部空気Ａ１との摩擦により、騒音を低減することが可能である。そのため、この構成によれば、上述した特許文献１に記載されているようなグラスウール製の吸音材を必要としないので、通風路１０の流路面積の減少が極力抑えられ、通風路１０の圧力損失の増加が抑制される。したがって、この空調装置１は、送風量を低下させることなく、騒音を低減することができる。
【００４４】
（２）また、本実施形態では、レゾネータ板６は、空調ケース２とは別部材で構成されているので、空調ケース２を形成する金型等の制約を受けることなく、レゾネータ板６と空調ケース２との距離Ｓ１を近づけ、空気層Ａ２の厚さを薄くすることが可能である。また、空調ケース２内の任意の位置にレゾネータ板６を設けることも可能である。これにより、この空調装置１は、通風路１０の圧力損失の増加を抑制すると共に、騒音の低減効果を高めることができる。
【００４５】
（３）さらに、本実施形態では、レゾネータ板６は、空調ケース２とは別部材で構成されているので、複数の開口部６０の大きさＤ１や、空気層Ａ２の厚さ（即ち、レゾネータ板６と空調ケース２の内壁との距離Ｓ１）を容易に変えることが可能である。そのため、この空調装置１は、空調ケース２の形状を変更することなく、レゾネータ板６のみの形状変更により消音する音の周波数を変えることができる。したがって、この空調装置１は、車両に応じて、騒音を確実に低減することができる。
【００４６】
（４）本実施形態では、空調ケース２の内壁が曲がる方向と、レゾネータ板６の曲面が曲がる方向とが揃っている。これにより、レゾネータ板６が通風路１０に張り出すことが無いので、通風路１０の圧力損失の増加が抑制される。したがって、この空調装置１は、送風量を低下させることなく、騒音を低減することができる。
【００４７】
（５）本実施形態では、レゾネータ板６ａ〜６ｄは、送風機３とエバポレータ４との間を直線状に延びる通風路１０を形成する空調ケース２の内壁に設けられる。このような場所にレゾネータ板６を設けることで、レゾネータ板６の面積を大きいものとすることが可能である。また、空調ケース２の内壁に沿ってレゾネータ板６を設けることで、通風路１０の圧力損失の増加を抑制可能である。したがって、この空調装置１は、送風量を低下させることなく、騒音を確実に低減することができる。
【００４８】
（６）本実施形態では、レゾネータ板６ｅ〜６ｇは、エバポレータ４より下流側の通風路１０を形成する空調ケース２の内壁に沿うように設けられる。このように空調ケース２内の任意の位置にレゾネータ板６を設けることで、送風機３から出る騒音の低減効果の高い位置に配置することができる。
【００４９】
（７）本実施形態では、空調ケース２とレゾネータ板６とは、嵌合、接着、溶着またはボルト止めにより固定されている。これにより、空調ケース２とレゾネータ板６とを容易に接続することが可能である。そのため、車両に応じて、レゾネータ板６が有する複数の開口部６０の大きさＤ１や、空気層Ａ２の厚さを容易に変えることが可能である。したがって、この空調装置１は、空調ケース２の設計変更をすることなく、レゾネータ板６の変更のみによって消音する音の周波数を変えることができる。
【００５０】
（第２実施形態）
第２実施形態について説明する。第２実施形態は、第１実施形態に対してレゾネータ板６の構成を変更したものであり、その他については第１実施形態と同様であるため、第１実施形態と異なる部分についてのみ説明する。
【００５１】
図７に示すように、第２実施形態では、レゾネータ板６は、第１レゾネータ板６１と第２レゾネータ板６２とを含んで構成されている。第１レゾネータ板６１は、空調ケース２の内壁に対し、所定の隙をあけた状態で設けられている。第２レゾネータ板６２は、第１レゾネータ板６１に対し空調ケース２の内壁とは反対側に設けられている。そして、第２レゾネータ板６２は、第１レゾネータ板６１に対し所定の隙をあけた状態で設けられている。
【００５２】
第１レゾネータ板６１が有する開口部６０の大きさＤ１と、第２レゾネータ板６２が有する開口部６３の大きさＤ２とは、異なる大きさで形成することが可能である。空調ケース２の内壁と第１レゾネータ板６１との距離Ｓ１と、第１レゾネータ板６１と第２レゾネータ板６２とのＳ２とは、異なる距離に設定することが可能である。第１レゾネータ板６１の板厚Ｔ１と、第２レゾネータ板６２の板厚Ｔ２とは、異なる板厚で形成することが可能である。これにより、第１レゾネータ板６１により消音可能な周波数と、第２レゾネータ板６２により消音可能な周波数を変えることが可能である。したがって、第２実施形態の空調装置１は、複数のレゾネータ板６１、６２を所定の隙をあけた状態で重ねて設置することで、広範囲の周波数の騒音を低減することができる。
【００５３】
（他の実施形態）
本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００５４】
（１）上記第１実施形態では、レゾネータ板６は、送風機３とエバポレータ４との間を直線状に延びる通風路１０を形成する空調ケース２の内壁、および、エバポレータ４より下流側の通風路１０を形成する空調ケース２の内壁に設けた。これに対し、他の実施形態では、レゾネータ板６は、図１および図２で示した位置に限らず、空調ケース２内の任意の位置に取り付けることが可能である。
【００５５】
（２）上記第１実施形態では、レゾネータ板６は、空調ケース２の内壁が曲がる方向と、レゾネータ板６の曲面が曲がる方向とが揃うように形成した。これに対し、他の実施形態では、レゾネータ板６は、空調ケース２の内壁の曲がりに関わらず、平面状に形成してもよい。この構成によっても、レゾネータ板６が取り付けられる場所の状況によっては、通風路１０の圧力損失の増加を抑制することが可能である。
【００５６】
（３）上記第２実施形態では、レゾネータ板６は、第１レゾネータ板６１と第２レゾネータ板６２とを含んで構成されるものとした。これに対し、他の実施形態では、レゾネータ板６は、第１レゾネータ板６１、第２レゾネータ板６２に加え、第３レゾネータ板などを重ねて設けることも可能である。
【００５７】
（まとめ）
上述の実施形態の一部または全部で示された第１の観点によれば、車両用の空調装置は、空調ケース、および、レゾネータ板を備える。空調ケースは、空気が流れる通風路を有する。レゾネータ板は、空調ケースとは別部材で構成され、板厚方向に通じる複数の開口部を有し、空調ケースの内壁と所定の隙をあけた状態で、空調ケースの内壁に沿うように設けられる。
【００５８】
第２の観点によれば、空調ケースの内壁が曲がる方向と、レゾネータ板の曲面が曲がる方向とは、揃っている。
【００５９】
これによれば、レゾネータ板が通風路に張り出すことが無いので、通風路の圧力損失の増加が抑制される。したがって、この空調装置は、送風量を低下させることなく、騒音を低減することができる。
【００６０】
第３の観点によれば、空調装置は、通風路内に空気を送風する送風機と、通風路を流れる空気を冷却する熱交換器をさらに備える。レゾネータ板は、送風機と熱交換器との間を直線状に延びる通風路を形成する空調ケースの内壁に沿うように設けられる。
【００６１】
このように、直線状に延びる通風路を形成する空調ケースの内壁にレゾネータ板を設けることで、レゾネータ板の面積を大きいものとすることが可能である。また、通風路の圧力損失の増加を抑制可能である。したがって、この空調装置は、送風量を低下させることなく、騒音を確実に低減することができる。
【００６２】
第４の観点によれば、レゾネータ板は、熱交換器より下流側の通風路を形成する空調ケースの内壁に沿うように設けられる。
【００６３】
このように、空調ケース内の任意の位置にレゾネータ板を設けることで、送風機から出る騒音を低減する効果の高い位置に配置することができる。したがって、この空調装置は、送風量を低下させることなく、騒音を確実に低減することができる。
【００６４】
第５の観点によれば、空調ケースとレゾネータ板とは、嵌合、接着、溶着またはボルト止めにより固定されている。
【００６５】
これによれば、空調ケースとレゾネータ板とを容易に接続することが可能である。そのため、車両に応じて、レゾネータ板と空調ケースとの間の空気層の厚さや、レゾネータ板が有する複数の開口部の大きさを容易に変えることが可能である。したがって、この空調装置は、空調ケースの設計変更をすることなく、レゾネータ板の形状変更のみによって消音する音の周波数を変えることができる。
【００６６】
第６の観点によれば、レゾネータ板は、第１レゾネータ板と第２レゾネータ板とを含んで構成されている。第１レゾネータ板は、空調ケースの内壁に対し所定の隙をあけた状態で設けられる。第２レゾネータ板は、第１レゾネータ板に対し空調ケースの内壁とは反対側で、第１レゾネータ板に対し所定の隙をあけた状態で設けられる。
【００６７】
これによれば、第１レゾネータ板が有する開口部の大きさと、第２レゾネータ板が有する開口部の大きさを変えることで、消音可能な周波数を変えることが可能である。また、第１レゾネータ板と空調ケースとの間の空気層の厚さと、第１レゾネータ板と第２レゾネータ板との間の空気層の厚さを変えることで、消音可能な周波数を変えることが可能である。したがって、この空調装置は、広範囲の周波数の騒音を低減することができる。なお、第１レゾネータ板、第２レゾネータ板に加え、第３レゾネータ板等を加えることも可能である。
【符号の説明】
【００６８】
１    空調装置
２    空調ケース
６    レゾネータ板
１０  通風路
６０  開口部
【図１】
2019156111.tif 000003
【図２】
2019156111.tif 000004
【図３】
2019156111.tif 000005
【図４】
2019156111.tif 000006
【図５】
2019156111.tif 000007
【図６Ａ】
2019156111.tif 000008
【図６Ｂ】
2019156111.tif 000009
【図６Ｃ】
2019156111.tif 000010
【図７】
2019156111.tif 000011